(57)【要約】      （修正有）【課題】任意に選択したペットボトルフィギュアとアルミボトルフィギュアのキャップに嵌め込み、チェスの盤上競技を可能にする２種類のサイズのキャップに対応できる形態を有する、ペットボトルフィギュアとアルミボトルフィギュア兼用のチェス駒を提供する。【解決手段】ペットボトルフィギュアのキャップの内径寸法は、アルミボトルフィギュアのキャップの内径寸法よりも少し長く、１種類のチェス駒がペットボトルフィギュアとアルミボトルフィギュアに兼用し嵌合する方法としては、チェス駒の嵌合部位にあたる構造体の垂直断面の形が台形からなる立体の形状で、嵌合部位にあたる構造体の下面から上面までの高さ方向の範囲で、立体の水平断面の正方形の対角線の一辺の長さが、下方から上方に移動するに従い短くなることで異なる内径寸法の２種類のキャップに対して、１種類のチェス駒で兼用して嵌めることが可能となる。【選択図】図３
2007283049.tif 000002
【特許請求の範囲】
【請求項１】
嵌合する寸法が異なる２種類のキャップに、兼用し嵌合できる形状を有することを特徴とするチェス駒製品の嵌合形式。
【請求項２】
台形の立体の構造物を嵌合部位として用い、ペットボトルフィギュアとアルミボトルフィギュアの内径寸法の異なる２種類のキャップ嵌合部に兼用して嵌められることを特徴とするチェス駒製品の嵌合形式。
【請求項３】
内径寸法の異なる２種類のキャップ嵌合部位の円形筒状の内周部とチェス駒の上面の正方形の四方の角が、接触して嵌合することを特徴とする、請求項２に記載のチェス駒製品の嵌合形式。
【請求項４】
チェス駒の嵌合部位にあたる構造体の水平断面の対角線の一辺の長さが、嵌合部位の下方から上方に移動するに従い短くなることを特徴とする、請求項２及至請求項３に記載のチェス駒製品の嵌合形式。
【請求項５】
チェス駒の全体の形状が、台形の立体を有する構造物と台形の立体を支持する構造物から構築されるペットボトルフィギュアとアルミボトルフィギュア兼用のチェス駒製品。
【請求項６】
チェス駒の嵌合部位の構造物が面で構築する形式および、辺（線）で構築する形式を有することを特徴とする、請求項５に記載のチェス駒製品。
【請求項７】
チェス駒の嵌合部位を除く本体側面の四方向にチェス駒を表すための６種類の略画または文字（名称表記）または略号を記すことを特徴とする請求項５に記載のチェス駒製品。
【発明の詳細な説明】
【技術分野】
【０００１】  本発明は、ペットボトル飲料とアルミボトル飲料向け食品玩具の２種類のボトキャップフィギュアに嵌め込み、チェス盤でチェスゲームを行うことを目的とするボトルキャップフィギュアと嵌合するチェス駒の嵌合形式およびチェス駒製品に関するものである。
【背景技術】
【０００２】  従来、チェス駒のデザインは各地各国で様々な形をしたものが使われはじめ、現在公式に使われている形は、１８５１年第一回ロンドン大会から数ある宗派の中より選ばれたものである。
しかしながら、係わる駒を用いることは、盤上競技のチェス用具の一つに留まるものである。【０００３】  かかる問題を解消することを目的として特開２００２−１０２４０８号には、チェス駒の前面に将棋の駒の名称、背面に印を付けることにより将棋の駒として使用できることが記載されている。【０００４】  また、ボトルキャップの従来の技術として特開２００３−９３７５０号は、ボトルキャップ保持可能な突起部を備えたレンガ模様の支持台で、台座同士を接続ができ突起部にはボトルキャップフィギュアを保持できるようにした。この保持具は地震や衝撃等に耐え、複数個のボトルキャップフィギュアを相対位置を変更することなく一度に移動できることが記載されている。【０００５】  更に、ボトルキャップの他の技術として特開２００３−３３９４９２号は、人形や玩具などの装飾体が創設されているペットボトル容器の蓋に嵌合するキャップ部を備えた陳列台で、複数個の台座を着脱し、かつ自在に連結でき、台座形はほぼ同一形状の多角形とすることが記載されている。【０００６】  実用新案登録第３１０５６６９号では、食品玩具のフィギュア付ボトルキャップに嵌め込みチェス競技を行う非公式のチェス駒で、ボトルキャップに嵌合、且つ着脱可能にした状態で駒本体の前面と背面に６種類のチェス駒の略画を記し、異なる大きさの台座形状を持つチェス駒を用いて、チェスの盤上競技を可能にしたと記されている。
【発明が解決しようとする課題】
【０００７】  前記特開２００２−１０２４０８号に開示されたチェス駒の特徴を取り入れた将棋の駒では、チェス駒の前面と背面に将棋の駒の名称・印が付けられているために、チェス競技に支障を生じる可能性がある。
【０００８】  また、特開２００３−９３７５０号に開示されたボトルキャップフィギュア保持具では、支持台同士での形状の相違点がないため、６種類のチェス駒を大別できないことが生じる。
【０００９】  同様に上記の特開２００３−３３９４９２号に開示されたボトルキャップ用陳列台でも、ほぼ同一の多角形の台座形状をしているために、チェス駒の種別ができない問題が生じる点である。
【００１０】  実用新案登録第３１０５６６９号のボトルキャップフィギュア専用チェス駒では嵌合の状態がほぼ同一の立体形状である為、ボトルフィギュアのキャップの内径寸法が異なる場合は各々に専用のチェス駒が必要となり、１種類のチェス駒では異なるサイズの２種類のキャップに嵌合する事は不可能である。
【課題を解決するための手段】
【００１１】  前記課題を解決する本発明のチェス駒は、嵌合する箇所の寸法が異なる２種類のペットボトルフィギュアとアルミボトルフィギュアのキャップの両方に兼用し嵌合することができ、チェス競技を可能にしたものである。
【００１２】  ペットボトルキャップフィギュアのキャップの内径寸法はアルミボトキャップフィギュアのキャップの内径寸法よりも少し長く、１種類のチェス駒がペットボトルフィギュアとアルミボトルキャップフィギュアに兼用し嵌合する方法としては、チェス駒の嵌合部位にあたる構造体の垂直断面の形が台形からなる立体の形状で、嵌合部位にあたる構造体の下面から上面までの高さ方向の範囲で立体の水平断面の正方形の対角線の一辺の長さが、嵌合部位の下方から上方に移動するに従い短くなることで嵌合する異なる内径寸法の２種類のキャップに対して１種類のチェス駒で対応し嵌合できる。
【００１３】  アルミボトルフィギュアを嵌合する条件として、チェス駒の嵌合部位にあたる構造体の最上面の正方形の対角線の一辺の長さはアルミボトルフィギュアのキャップの内径の寸法よりも短くする必要がある。
【００１４】  また、ペットボトルフィギュアを嵌合する条件としては、チェス駒の嵌合部位にあたる構造体の最上部の位置からペットボトルフィギュアのキャップの高さ寸法とほぼ同じ長さに下がった地点に位置する水平断面の正方形の対角線の一辺の長さは、ペットボトルフィギュアのキャップの内径の寸法よりも長くする必要がある。
【００１５】  ペットボトルキャップ・アルミボトルキャップフィギュアとチェス駒の嵌合の形式は、各ボトルキャップのキャップ底部の円形筒状の内周部とチェス駒の最上部の正方形の四方の角とが点接触に近い接触あるいは材料同士の摩擦によって嵌合される状態のことである。
【００１６】  ペットボトルフィギュアとアルミボトルフィギュア兼用チェス駒は嵌合する部位にあたる構造体が台形からなる立体の形状で、チェス駒本体の側面四面又は四方向にチェス駒を表すための６種類の略画または文字（名称表示）又は略号を記すことで競技者のみならず競技観戦者がチェス競技進行内容を容易に判断できる。
【発明の効果】
【００１７】  本発明のペットボトルフィギュアとアルミボトルフィギュア兼用チェス駒は、ボトルキャップフィギュアに嵌合するチェス駒に、駒の種類別略画または文字（名称表示）又は略号を記した用具である。公式チェス駒の形式に留まることなく、使用者の趣向によるキャラクター別ボトルキャップフィギュアを任意に選択しチェス駒に嵌合して利用できるという利点がある。
【発明の開示】
【発明を実施するための最良の形態】
【００１８】  本発明が円滑にチェス競技できるには、少なくともチェス盤の用具が必要となる。ペットボトルフィギュアとアルミボトルフィギュア兼用チェス駒の形状に関しては、以下の図面を参照して説明すると共に、チェス盤の寸法についても説明をする。
【実施例】
【００１９】  図１は本発明のチェス駒の嵌合形式を表した立体図である。ボトルキャップフィギュアとの嵌合部位にあたる構造体の垂直断面の形が台形からなる立体の構造物にすることで異なる内径寸法の２種類のキャップに兼用して嵌合することを可能とする。【００２０】  チェス駒の嵌合部位の構造体には、面で構築する方法と構造体にあたる線（各辺）で構築（ワイヤーフレーム構造）する方法が含まれる。【００２１】  さらにチェス駒の全体の形状の実施例１として、上面と側面の五面からなる構造物にすることにより、駒同士を重ねることでチェス駒の収納の効率を高めることができる。【００２２】  チェス駒全体の形状は台形の立体を有す構造物と台形の立体の支持台となる構造物から形成される。【００２３】  また、チェス駒を無垢の構造物にしたり、チェス駒の嵌合する部位から下部の範囲を占める駒の形状は任意に設定できる。【００２４】  図２は、本発明の１実施例の図面である。１は本発明となるチェス駒で、その上に４のボトルキャップフィギュアを嵌め込むことでチェス競技の駒として使用できる。【００２５】  図２の２のボトルキャップフィギュア用の嵌合部位と５のボトルキャップフィギュア兼用チェス駒の嵌合部位とを接続し、７のボトルキャップフィギュア付チェス駒の用具を提供する。【００２６】  図２の２のペットボトルキャップフィギュアの嵌合部位の２−２の位置にあたる水平断面の正方形の対角線の一辺の長さを定める場合において、チェス駒の最上面の位置からペットボトルフィギュアのキャップの高さ寸法とほぼ同じの長さに下がった地点に位置する水平断面の正方形の対角線の一辺の長さは、ペットボトルフィギュアのキャップの内径寸法よりも少し長くする必要がある。【００２７】  図２の２のアルミボトルキャップフィギュアの嵌合部位の２−１の位置にあたる正方形の対角線の一辺の長さはを定める場合については、アルミボトルフィギュアのキャップの内径寸法よりも少し短くする必要がある。【００２８】  また、実施例１のチェス駒の正方形の底辺の一辺の長さはチェス盤の一マスの一辺に長さよりも短くする必要がある。【００２９】  ボトルキャップフィギュアを嵌めてチェス競技を行う場合はチェス盤の一マスのサイズが実施例１では、公式用サイズのうちの５センチ四方のものを使用するが使用サイズの定めはない。【００３０】  図２の３は、チェス駒を表す６種類（キング・クィーン・ビショップ・ナイト・ルーク・ポーン）の略画のうちの実施例としてキングを表記したものであり、残りの側面３面にも同様に記す。【００３１】  図２の７はボトルキャップフィギュアにチェス駒を嵌合した状態を表している。嵌合した状態での２種類の高さを比較すると、ペットボトル用とアルミボトル用ではアルミボトルフィギュアを嵌合した状態の全高が、ペットボトルフィギュアを嵌合した状態の全高に比べで少し高い。【００３２】  図３はペットボトル用とアルミボトル用の内径寸法の異なる２種類のキャップに対するチェス駒の嵌合の形式を表している。図３の１のチェス駒の側面の左右の２辺に対して水平交差する一辺の長さがの上下移動により変わることで上部に嵌合する２種類の異なる内径寸法の２種類のキャップに対応できる。【��０３３】  図３の１の断面図のチェス駒は無垢の構造物の実施例として表したものである。【００３４】  図４は真上から見た状態の断面図で図４の５のボトルキャップフィギュアのキャップ部と図４の１のチェス駒との嵌合形式を表記している。嵌合は通常ほぼ同一の形状を持つ雄雌が面同士で接触するのに対して、本発明の嵌合はキャップの円周内部とチェス駒の最上部に位置する正方形の四方の角が接触し、点と点の接触に限りなく近い状態で嵌合する形式になる。【００３５】  図５は、チェス駒を表すための６種類（キング・クィーン・ビショップ・ナイト・ルーク・ポーン）の略画と文字（名称表示）と略号を列記したものである。チェス競技使用するチェス駒数の全てに略画又は文字（名称表示）または略号のいずれかを記すことでチェスゲームを可能とする。【００３６】  図５の１１の文字（名称表示）については、駒の名称を日本語で表記した例として取り上げているが、外国語で表記する場合もあり得る。【００３７】  図５の１２の略号は日本語読みのローマ字の頭文字を用いたのもを表している。略号においても外国語読みの頭文字を略号として使用する場合もある。【００３８】  上記を踏まえてチェスゲームをする場合は、色違いのペットボトルフィギュア又はアルミボトルフィギュア兼用チェス駒を敵味方各１６個づつ（キング１個・クィーン１個・ビショップ２個・ナイト２個・ルーク２個・ポーン８個）全部で３２個を揃える。ただし、敵味方の駒の色区別はあるが色指定の定めはない。
【産業上の利用可能性】
【００３９】  従来のチェスゲーム製品の形態にとらわれず、使用者の趣向によるキャラクター選びができ、思いも寄らないキャラクターのボトルキャップフィギュア同士の対戦を楽しむことが可能となる。今までのボトルキャップフィギュアでは収集・陳列の領域に留まっており、チェスゲームに利用展開できずにいた。今回の発明によりボトルキャップ業界とチェスのボードゲーム業界への利用範囲を広げることになると考えられる。
【図面の簡単な説明】
【００４０】
【図１】ペットボトルキャップフィギュアとアルミボトルキャップフィギュア兼用チェス駒の立体図である。（実施例１）
【図２】ペットボトルキャップフィギュアとアルミボトルキャップフィギュア兼用チェス駒とボトルキャップフィギュアとの接続方法と各部位を示した正面図である。（実施例２）
【図３】ペットボトルキャップフィギュアとアルミボトルキャップフィギュアのキャップ部とチェス駒の嵌合形式の側面の断面図である。（実施例３）
【図４】ボトルフィギュアのキャップ部位とチェス駒の嵌合の状態を表す上面の断面図である。
【図５】チェス駒の側面四面に記すチェス駒を表すための６種類の略画と文字（名称表示）と略号の表記例である。（実施例４）
【符号の説明】
【００４１】１  ペットボトルフィギュアとアルミボトルフィギュア兼用チェス駒
２  ペットボトルフィギュアとアルミボトルフィギュア兼用の嵌合部位
２−１  嵌合部位の最上部の位置
２−２  嵌合部位の下部の位置
３  チェス駒に表記したキングの略画
４  ペットボトルフィギュア及びアルミボトルフィギュア
５  ペットボトルキャップフィギュア・アルミボトルキャップフィギュア兼用チェス駒の上に嵌合するキャップ部
６  キャラクターフィギュア
７  ペットボトルフィギュア及びアルミボトルフィギュアを嵌合したボトルキャップフィギュアチェス駒
８  ペットボトルキャップのキャップ部
９  アルミボトルキャップのキャップ部
１０  チェス駒を表す６種類の略画
１１  チェス駒を表す６種類の文字（名称表示）
１２  チェス駒を表す６種類の略号
【図１】
2007283049.tif 000003
【図２】
2007283049.tif 000004
【図３】
2007283049.tif 000005
【図４】
2007283049.tif 000006
【図５】
2007283049.tif 000007
【手続補正書】
【提出日】平成18年8月1日(2006.8.1)
【手続補正１】
【補正対象書類名】特許請求の範囲
【補正対象項目名】全文
【補正方法】変更
【補正の内容】
【特許請求の範囲】
【請求項１】
チェス駒の全体の形状が、台形の立体を有する構造物から形成され、ペットボトルフィギュアとアルミボトルフィギュアの２種類に兼用するチェス駒製品。
【請求項２】
内径寸法が異なる２種類のキャップのみに対して、キャップの嵌合部位の円柱状の内周部とチェス駒の上面の正方形の四方の角が、接触して嵌合することを特徴とする、請求項１に記載のチェス駒製品の嵌合形式。
【請求項３】
内径寸法が異なる２種類のキャップのみに対して、チェス駒の嵌合する部位の上下区域内における水平断面の長さが、下方から上方に移動するに従い短くなることを特徴とする、請求項１に記載のチェス駒製品の嵌合形式。
【請求項４】
チェス駒の嵌合部位の構造物が面で構築する形式を有することを特徴とする、請求項１に記載のチェス駒製品。
【請求項５】
チェス駒の嵌合部位の構造物が辺（線）で構築する形式を有することを特徴とする、請求項１に記載のチェス製品。
【請求項６】
チェス駒の嵌合部位を除く本体側面の四方向にチェス駒を表すための６種類の略画または文字（名称表記）または略号を記すことを特徴とする、請求項１及至請求項４に記載のチェス駒製品。
【手続補正２】
【補正対象書類名】明細書
【補正対象項目名】００２２
【補正方法】変更
【補正の内容】
【００２２】  チェス駒全体の形状は台型の立体を有す構造物から形成される。